(57)【要約】      （修正有）【課題】  載置している物品を持ち上げることなく降ろすことが可能なパレットを提供する。【解決手段】  矩形状の底板１；底板の上部に位置し、底板と実質上同一形状を有し、所定の物品が載置される天板２；底板と天板との間隙に、フォークリフトのフォーク挿入用空間７が形成されるように、所定の間隔を置いて互いに平行に設けられた、両板を接合する複数の筒状部材３；及び前記筒状部材の内部に着脱自在に挿入された補強ロッド５；からなることを特徴とする。【選択図】  図１
2005067689.tif 000002
【特許請求の範囲】
【請求項１】
矩形状の底板；
底板の上部に位置し、底板と実質上同一形状を有し、所定の物品が載置される天板；
底板と天板との間隙に、フォークリフトのフォーク挿入用空間が形成されるように、所定の間隔を置いて互いに平行に設けられた、両板を接合する複数の筒状部材；及び
前記筒状部材の内部に着脱自在に挿入された補強ロッド；
からなることを特徴とするパレット。
【請求項２】
前記天板の各辺のそれぞれに、該辺を折畳み線として折畳み可能に側壁パネルが形成されている請求項１に記載のパレット。
【請求項３】
前記筒状部材は、ダンボール紙から形成されている請求項１または２に記載のパレット。
【請求項４】
前記底板及び天板は、ダンボール紙から形成されている請求項３に記載のパレット。
【請求項５】
請求項１に記載のパレットと、天板側から該パレットに被せられる包装箱からなり、該パレットと底板との間隙は、複数の筒状部材の間のフォーク挿入用空間を残して、該包装箱によって覆われることを特徴とする梱包ケース。
【請求項６】
前記パレットの天板の各辺のそれぞれに、該辺を折畳み線として折畳み可能に側壁パネルが形成されている請求項５に記載の梱包ケース。
【請求項７】
前記側壁パネル及び包装箱には、それぞれ、互いに対面するようにジョイント用開口が形成されている請求項６に記載の梱包ケース。
【発明の詳細な説明】
【技術分野】
【０００１】
本発明は、物品の運搬乃至搬送、或いは保管等に使用されるパレット及びパレット付梱包ケースに関する。
【背景技術】
【０００２】
重量のある物品、例えば複写機などの運搬や搬送、保管などのためにパレットが広く使用されている。このパレットは、通常、底板と天板との一対の矩形状のパネルを有しており、底板と天板との間に複数の補強部材を接合された構造を有している。即ち、該パレットの天板上に物品を載置し、天板と底板との間隙にフォークを挿入し、フォークリフトによって運搬、搬送を行うものである。
【０００３】
このようなパレットにダンボール紙などからなる包装箱を組み合わせた梱包ケースも知られている（特許文献１参照）。
【特許文献１】特開平１１−３３４７１８号公報
【発明の開示】
【発明が解決しようとする課題】
【０００４】
ところで、従来公知のパレットでは、天板上に重量のある物品を載置するため、この物品をパレットから降ろすためには、一旦、物品を持ち上げなければならないという問題がある。パレットが置かれている床面、地面などと天板との間に段差があるためである。最近では、複写機のように重量のある物品には、キャスタが取り付けられ、容易に移動し得るようになっているものが多いが、このようなキャスタ付の物品の場合でも、上記の段差のため、パレットから降ろすためには、当該物品を持ち上げる必要がある。
【０００５】
従って、本発明の目的は、載置している物品を持ち上げることなく降ろすことが可能なパレット及びパレット付梱包ケースを提供することにある。
【課題を解決するための手段】
【０００６】
本発明によれば、
矩形状の底板；
底板の上部に位置し、底板と実質上同一形状を有し、所定の物品が載置される天板；
底板と天板との間隙に、フォークリフトのフォーク挿入用空間が形成されるように、所定の間隔を置いて互いに平行に設けられた、両板を接合する複数の筒状部材；及び
前記筒状部材の内部に着脱自在に挿入された補強ロッド；
からなることを特徴とするパレットが提供される。
【０００７】
上記パレットにおいては、
１．前記天板の各辺のそれぞれに、該辺を折畳み線として折畳み可能に側壁パネルが形成されていること、
２．前記筒状部材は、ダンボール紙から形成されていること、
３．前記底板及び天板は、ダンボール紙から形成されていること、
が好適である。
【０００８】
本発明によれば、また、上記パレットと、天板側から該パレットに被せられる包装箱からなり、該パレットと底板との間隙は、複数の筒状部材の間のフォーク挿入用空間を残して、該包装箱によって覆われることを特徴とする梱包ケースが提供される。
【０００９】
上記梱包ケースにおいては、
１．前記パレットの天板の各辺のそれぞれに、該辺を折畳み線として折畳み可能に側壁パネルが形成されていること、
２．前記側壁パネル及び包装箱には、それぞれ、互いに対面するようにジョイント用開口が形成されていること、
が好適である。
【発明の効果】
【００１０】
概説すると、本発明においては、パレットの底板と天板との間に設けられている両板を接合する部材が、圧潰可能な複数の筒状部材（例えばダンボール紙製）により形成されており、これら筒状部材の内部に、補強ロッドが着脱自在に挿入されていることが重要な特徴である。
【００１１】
即ち、パレットの天板上に物品が載置されているときには、補強ロッドによって筒状部材は所定の形状に保持され、且つ天板と底板との間に一定の間隙が安定に確保される。従って、筒状部材の間の空間にフォークを挿入することができ、フォークリフトによって、物品を支持しているパレット或いはこのようなパレットを備えた梱包ケースの運搬、搬送等を行うことができる。また、パレットの天板から物品を降ろす場合には、何れか一方側の端部に位置している筒状部材については補強ロッドをそのまま残し、他の筒状部材からは補強ロッドを抜き出す。これにより、補強ロッドが抜き出された筒状部材は圧潰し、特に補強ロッドが残っている筒状部材から最も離れている筒状部材は、完全に圧潰され、従って、物品が載置されている天板と床面との段差を実質上解消することができる。かくして、天板上に載置されている物品を持ち上げることなく、パレット（天板）から降ろすことができる。
【００１２】
また、本発明においては、パレットの天板の四辺のそれぞれに、該辺を折畳み線として折畳み可能な側壁パネルを形成しておくことにより、該パレットに包装箱を安定に固定して梱包ケースとすることができ、しかも、パレットからの物品の取り出し作業を一層容易に行うことができる。即ち、筒状部材から補強ロッドを抜き出して圧潰させたとき、完全に圧潰された筒状部材に対応する部分に位置する側壁パネルを開くことにより、該側壁パネルを支持面として、天板上の物品を滑り降ろすことができる。特に当該物品にキャスタが設けられていれば、その滑り降ろしは至って容易となる。
【００１３】
このように、本発明によれば、パレットの天板からの物品を取り出しを当該物品を持ち上げることなく行うことができるため、極めて重量のある物品についても、その取り出し作業が極めて容易となる。
【発明を実施するための最良の形態】
【００１４】
本発明のパレットの斜視図を示す図１において、このパレットは、底板１、天板２、及び、複数の（図１では３個）筒状部材３からなっており、各筒状部材３の内部には、それぞれ、補強ロッド５が着脱自在に挿入されている。
【００１５】
底板１及び天板２は、共に矩形状であり、互いに対面している両板１，２は、実質上、同じ大きさを有しており、天板２上に、所定の物品（図１においては省略）が載置されるようになっている。底板１及び天板２は、樹脂や木材などで形成されていてもよいが、コストや資源の再利用の点で、ダンボール紙により形成されているのがよい。
【００１６】
また、筒状部材３は、底板１と天板２との間隙に、所定の間隔を置いて互いに平行に設けられており、梁のように延びて、底板１及び天板２に接合されている。これらの筒状部材３の間の空間が、フォーク挿入用空間７となっており、この空間７にフォークリフトのフォークを挿入して、フォークリフトによりパレット（天板２上の物品）の運搬、搬送を行うようになっている。
【００１７】
本発明においては、上記の筒状部材３は、圧潰可能に形成されており、補強ロッド５を筒状部材３から抜き出したときには、容易に圧潰されるようになっている。従って、この筒状部材３は、圧潰可能である限り、金属箔、樹脂フィルム乃至シートなどで形成されていてもよいが、経済性、資源の再利用性などの点で、ダンボール紙で形成されているのが最も好適である。尚、この筒状部材３は、ビスや螺子などを用いて天板２や底板１に固定することもできるが、段ボール紙を用いている場合には、接着剤により、底板１及び天板２に接着固定するのがよい。
【００１８】
また、筒状部材３の内部に挿入される補強ロッド５は、筒状部材３の中空空間内に嵌め込まれるような大きさ及び形状を有するものであり、パレットに所定の強度を付与し、底板１と天板２との間に一定の間隔を保持し、フォーク挿入用空間７が安定に形成されるように、剛性材料、例えば金属や剛性樹脂などから形成される。
【００１９】
本発明において、上記のパレットは、それ単独で、天板２上に物品を載置して、フォークリフトによる物品の運搬や、搬送、保管などに使用することができるが、一般には、後述する包装箱と組み合わせて梱包ケースとして使用することが好適である。このような梱包ケースとして使用する場合、図１に示されているように、上記天板２の四辺には、これを折畳み線として、折畳み可能な側壁パネル９が、天板２と一体に、例えばダンボール紙で形成されていることが好ましい。即ち、この側壁パネル９は、後述する包装箱の強度を補強し、さらには包装箱をパレットに安定に保持固定するためのものであり、通常は、図示されているように、天板１の面から垂直に立ち上げられており、且つその高さは、底板１と天板２との間隔程度であってよい。また、この側壁パネル９には、ジョイント用開口９ａが設けられていることが好適である。
【００２０】
上述したパレットを用いて形成された梱包ケースの斜視図を示す図２及び分解斜視図を示す図３において、１０で示す物品がパレットの天板２上に載置された状態で、例えばダンボール製の包装箱１２が被せられる。
【００２１】
即ち、この包装箱１２は、パレットが内部に嵌め込まれるような形状及び大きさを有するものであり、その下端には、パレットのフォーク挿入用空間７が開放され、筒状部材３の端部のみが覆われるように、切欠き１５が形成されている。即ち、筒状部材３の端部を覆うことにより、筒状部材３からの補強ロッド５の離脱が有効に防止され、フォーク挿入用空間７を開放しておくことによって、フォークリフトによっての梱包ケースの運搬等を行うことができる。尚、図２及び図３において、フォーク挿入用空間７及び切欠き１５は、手前側のみに示されているが、一般的には、その後ろ側（背面側）にも同様に切欠き１５が形成されているのがよい。切欠き１５が一方側のみに形成されている場合には、フォーク挿入用空間７が一方側のみで開放され、他方側では閉じられてしまうため、フォークの挿入方向が一方向に限定されてしまうからである。
【００２２】
また、上記包装箱１２の側面下方部分には、これをパレットに被せたときに、前述したパレットの側壁パネル９のジョイント用開口９ａと対応する位置に、同様のジョイント用開口１２ａが形成されている。即ち、包装箱１２をパレットに被せ、ジョイント用開口１２ａ及びジョイント用開口９ａに楔等のジョイント部材を嵌め込むことにより、包装箱１２は、パレットに安定に固定され、パレット（天板２上）に載置された物品１０は安定に保持されることとなる。
【００２３】
また、包装箱１２の上端部分には、通常のダンボール箱と同様、上蓋となる折畳み片１２ｂが四辺に形成されており、この折畳み片１２ｂを折畳んで閉じ、必要によりガムテープなどで固定することにより、物品１０の収容を確実なものとすることができる。
【００２４】
本発明においては、パレットに設けられた圧潰可能な筒状部材３を利用して、パレットからの物品１０の取り出し作業を容易に行うことができる。この作業工程を図４に示した。
【００２５】
即ち、前述した楔等を外し、梱包ケースの包装箱１２をパレットから取り出した後、図４（ａ）に示すように、一方側端部の筒状部材３ａの補強ロッド５ａのみを残し、他の補強ロッド５ｂ、５ｃを筒状部材３ｂ、３ｃから抜き出す。これにより、図４（ｂ）に示されているように、筒状部材３ｂ、３ｃは圧潰され、特に補強ロッド５ａが残っている筒状部材３ａから離れた位置にある手前側の筒状部材３ｃは、ほぼ完全な扁平状態に圧潰され、この部分で、天板２と床面との段差はほとんど無くなる。従って、物品１０を持ち上げることなく、そのまま、パレット（天板２）から取り出すことが可能となる。
【００２６】
また、ほぼ完全に圧潰された筒状部材３ｃに対応する位置に設けられている側壁パネル９を完全に展開することにより、この側壁パネル９がスロープを形成するため、物品１０の取り出しは極めて容易となる。特に、物品１０にキャスタ１０ａが取り付けられているときには、物品１０の取り出しは極めて容易となる。
【００２７】
このように、本発明によれば、パレットからの物品の取り出しに際して、物品を持ち上げる必要が無いので、重量のある物品においても、容易にパレットから取り出すことができる。
【図面の簡単な説明】
【００２８】
【図１】本発明のパレットの斜視図である。
【図２】本発明のパレットを用いて形成された梱包ケースの斜視図である。
【図３】図２の梱包ケースの分解斜視図である。
【図４】パレットからの物品の取り出し作業の工程を示す図である。
【符号の説明】
【００２９】
１：底板
２：天板
３：圧潰可能な筒状部材
５：補強ロッド
７：フォーク挿入用空間
９：側壁パネル
１０：物品
１２：包装箱
【図１】
2005067689.tif 000003
【図２】
2005067689.tif 000004
【図３】
2005067689.tif 000005
【図４】
2005067689.tif 000006